【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】遊技用システム
【手続補正２】
【補正対象書類名】明細書
【補正対象項目名】特許請求の範囲
【補正方法】変更
【補正の内容】
【特許請求の範囲】
【請求項１】  貨幣の支払いに応じた価値であって、遊技に使用可能な遊技用価値の大きさを特定可能な情報及び各記録媒体を個別に識別可能であるとともに遊技者を特定可能な遊技者特定情報が記録された遊技者特定用記録媒体を受付けて、該遊技者特定用記録媒体に記録されている記録情報の読み出しを行う記録媒体処理手段と、
該記録媒体処理手段にて前記遊技者特定用記録媒体から読み出した前記情報から特定される遊技用価値の大きさを遊技に使用するための遊技使用処理を行う遊技使用処理手段と、
を備える遊技用装置と、
前記遊技者特定用記録媒体の遊技用価値の大きさを、該遊技者特定用記録媒体の前記遊技者特定情報に対応づけて管理し、該管理している遊技用価値の大きさから前記遊技使用処理に使用された遊技用価値の大きさを減算更新する記録媒体管理装置と、
前記遊技者特定情報に対応付けて前記遊技者に関連する情報を記憶、管理する遊技者情報データベースを有する遊技者情報管理装置と、
から成り、
前記遊技用装置は、前記記録媒体処理手段にて前記遊技者特定用記録媒体から読み出した情報から特定される遊技用価値の大きさと、該遊技者特定用記録媒体の遊技者特定情報と、を含む判定要求を前記記録媒体管理装置に送信する判定要求送信手段を備え、
前記記録媒体管理装置は、前記判定要求送信手段から受信した判定要求に含まれる遊技用価値の大きさが、該判定要求に含まれる遊技者特定情報に対応付けて管理している遊技用価値の大きさ以下であることを条件に、当該遊技者特定情報の遊技者特定用記録媒体の遊技への使用が可能であると判定し、該遊技者特定用記録媒体の遊技への使用が可能である旨を前記判定要求を送信した遊技用装置に返信する使用可否判定手段を備え、
前記遊技者情報管理装置は、
前記使用可否判定手段により遊技への使用が可能であると判定された遊技者特定用記録媒体の使用に基づいて、該遊技者特定用記録媒体の所持者である遊技者の遊技に関する遊技関連情報を収集するための遊技関連情報収集手段と、
該遊技関連情報収集手段にて収集した前記遊技者特定用記録媒体の所持者である遊技者の遊技関連情報を該遊技者特定用記録媒体の遊技者特定情報に対応付けて前記遊技者情報データベースに登録する遊技関連情報登録手段と、
前記遊技者情報データベースから抽出する遊技者の抽出条件として複数の遊技関連情報を受け付けるための抽出条件受付け手段と、
該抽出条件受付け手段にて受け付けた複数の遊技関連情報に該当する遊技者を前記遊技者情報データベースから抽出して出力する抽出出力手段と、
を備えることを特徴とする遊技用システム。
【請求項２】  前記抽出条件受付け手段は抽出対象とする期間を受け付け、前記抽出出力手段は、該受け付けた期間における前記複数の遊技関連情報に該当する遊技者を前記遊技者情報データベースから抽出して出力する請求項１に記載の遊技用システム。
【請求項３】  前記複数の遊技関連情報は、遊技者が遊技に使用した投資金額と特賞回数である請求項１または２に記載の遊技用システム。
【請求項４】  前記複数の遊技関連情報は、遊技者が遊技に使用した投資金額と来店回数である請求項１または２に記載の遊技用システム。
【請求項５】  遊技者情報管理装置は、催事内容を受け付けて催事を設定するための催事設定手段と、該催事設定手段にて設定された催事に関する情報を記憶するための催事情報記憶手段とを備えるとともに、前記抽出出力手段は、前記抽出した遊技者が前記催事情報記憶手段に記憶されているどの催事に該当するのかを判定し、該該当すると判定した催事に関する情報を出力する請求項１〜４のいずれかに記載の遊技用システム。
【請求項６】  遊技者情報管理装置の遊技者情報データベースには、遊技者へのダイレクトメールの送信先に関する情報が登録されており、前記遊技者情報管理装置は、前記抽出した遊技者のダイレクトメールの送信先を前記遊技者情報データベースより特定し、該特定した送信先へのダイレクトメールを作成するダイレクトメール作成手段を具備する請求項１〜５のいずれかに記載の遊技用システム。
【手続補正３】
【補正対象書類名】明細書
【補正対象項目名】０００１
【補正方法】変更
【補正の内容】
【０００１】
【発明の属する技術の分野】
本発明は、会員カード等の遊技者特定用記録媒体を受付けて、該会員カードに記録されている記録情報の読み出すカードユニット等の遊技用装置と、該カードユニット等の遊技用装置とデータ通信可能であって、前記会員カードに記録されているカードＩＤ等の遊技者特定情報に対応付けて前記遊技者に関連する情報を記憶、管理する遊技者情報データベースを有する会員管理コンピュータ等の遊技者情報管理装置と、から成る遊技用システムに関する。
【手続補正４】
【補正対象書類名】明細書
【補正対象項目名】０００４
【補正方法】変更
【補正の内容】
【０００４】
よって、本発明は上記した問題点に着目してなされたもので、より詳細な会員遊技者の抽出を可能とすることで、会員遊技者により見合ったイベントの通知や、イベント自体を行うことを容易とし、他の遊技場との差別化を図ることのできる遊技用システムを提供することを目的としている。
【手続補正５】
【補正対象書類名】明細書
【補正対象項目名】０００５
【補正方法】変更
【補正の内容】
【０００５】
【課題を解決するための手段】
前記した問題を解決するために、本発明の遊技用システムは、貨幣の支払いに応じた価値であって、遊技に使用可能な遊技用価値の大きさを特定可能な情報及び各記録媒体を個別に識別可能であるとともに遊技者を特定可能な遊技者特定情報が記録された遊技者特定用記録媒体を受付けて、該遊技者特定用記録媒体に記録されている記録情報の読み出しを行う記録媒体処理手段と、
該記録媒体処理手段にて前記遊技者特定用記録媒体から読み出した前記情報から特定される遊技用価値の大きさを遊技に使用するための遊技使用処理を行う遊技使用処理手段と、
を備える遊技用装置と、
前記遊技者特定用記録媒体の遊技用価値の大きさを、該遊技者特定用記録媒体の前記遊技者特定情報に対応づけて管理し、該管理している遊技用価値の大きさから前記遊技使用処理に使用された遊技用価値の大きさを減算更新する記録媒体管理装置と、
前記遊技者特定情報に対応付けて前記遊技者に関連する情報を記憶、管理する遊技者情報データベースを有する遊技者情報管理装置と、
から成り、
前記遊技用装置は、前記記録媒体処理手段にて前記遊技者特定用記録媒体から読み出した情報から特定される遊技用価値の大きさと、該遊技者特定用記録媒体の遊技者特定情報と、を含む判定要求を前記記録媒体管理装置に送信する判定要求送信手段を備え、
前記記録媒体管理装置は、前記判定要求送信手段から受信した判定要求に含まれる遊技用価値の大きさが、該判定要求に含まれる遊技者特定情報に対応付けて管理している遊技用価値の大きさ以下であることを条件に、当該遊技者特定情報の遊技者特定用記録媒体の遊技への使用が可能であると判定し、該遊技者特定用記録媒体の遊技への使用が可能である旨を前記判定要求を送信した遊技用装置に返信する使用可否判定手段を備え、
前記遊技者情報管理装置は、
前記使用可否判定手段により遊技への使用が可能であると判定された遊技者特定用記録媒体の使用に基づいて、該遊技者特定用記録媒体の所持者である遊技者の遊技に関する遊技関連情報を収集するための遊技関連情報収集手段と、
該遊技関連情報収集手段にて収集した前記遊技者特定用記録媒体の所持者である遊技者の遊技関連情報を該遊技者特定用記録媒体の遊技者特定情報に対応付けて前記遊技者情報データベースに登録する遊技関連情報登録手段と、
前記遊技者情報データベースから抽出する遊技者の抽出条件として複数の遊技関連情報を受け付けるための抽出条件受付け手段と、
該抽出条件受付け手段にて受け付けた複数の遊技関連情報に該当する遊技者を前記遊技者情報データベースから抽出して出力する抽出出力手段と、
を備えることを特徴としている。
この特徴によれば、複数の遊技関連情報を抽出条件として設定できるので、多彩な条件設定に基づく会員抽出を実施できるようになるため、会員遊技者により見合ったイベントの通知や、イベント自体を行うことが容易となり、他の遊技場との差別化を図ることができる。
【手続補正６】
【補正対象書類名】明細書
【補正対象項目名】０００６
【補正方法】変更
【補正の内容】
【０００６】
本発明の遊技用システムの前記抽出条件受付け手段は抽出対象とする期間を受け付け、前記抽出出力手段は、該受け付けた期間における前記複数の遊技関連情報に該当する遊技者を前記遊技者情報データベースから抽出して出力することが好ましい。
このようにすれば、抽出対象とする期間を、所望期間に適宜に変更することができる。
【手続補正７】
【補正対象書類名】明細書
【補正対象項目名】０００７
【補正方法】変更
【補正の内容】
【０００７】
本発明の遊技用システムの前記複数の遊技関連情報は、遊技者が遊技に使用した投資金額と特賞回数であることが好ましい。
このようにすれば、遊技関連情報を投資金額と特賞回数とすることで、特賞回数が少なく投資金額が多い等の負け状態にある可能性が高い遊技者に対し、適切なイベント設定や通知を行うことができる。
【手続補正８】
【補正対象書類名】明細書
【補正対象項目名】０００８
【補正方法】変更
【補正の内容】
【０００８】
本発明の遊技用システムの前記複数の遊技関連情報は、遊技者が遊技に使用した投資金額と来店回数であることが好ましい。
このようにすれば、遊技関連情報を投資金額と来店回数とすることで、１回の来店において所定額以上の投資をしている高額利用遊技者に対し、適切なイベント設定や通知を行うことができる。
【手続補正９】
【補正対象書類名】明細書
【補正対象項目名】０００９
【補正方法】変更
【補正の内容】
【０００９】
本発明の遊技用システムの遊技者情報管理装置は、催事内容を受け付けて催事を設定するための催事設定手段と、該催事設定手段にて設定された催事に関する情報を記憶するための催事情報記憶手段とを備えるとともに、前記抽出出力手段は、前記抽出した遊技者が前記催事情報記憶手段に記憶されているどの催事に該当するのかを判定し、該該当すると判定した催事に関する情報を出力することが好ましい。
このようにすれば、前記抽出した遊技者がどのイベントに該当しているのかを容易にかつ正確に把握できる。
【手続補正１０】
【補正対象書類名】明細書
【補正対象項目名】００１０
【補正方法】変更
【補正の内容】
【００１０】
本発明の遊技用システムの遊技者情報管理装置の遊技者情報データベースには、遊技者へのダイレクトメールの送信先に関する情報が登録されており、前記遊技者情報管理装置は、前記抽出した遊技者のダイレクトメールの送信先を前記遊技者情報データベースより特定し、該特定した送信先へのダイレクトメールを作成するダイレクトメール作成手段を具備することが好ましい。
このようにすれば、前記抽出した遊技者のダイレクトメールを、その送信先等を間違えることなく、正確かつ簡便に作成して、発送または送信できるようになり、これら抽出した遊技者への通知に伴う労力を大幅に低減できる。